【手続補正書】
【提出日】平成17年12月19日(2005.12.19)
【手続補正１】
【補正対象書類名】特許請求の範囲
【補正対象項目名】全文
【補正方法】変更
【補正の内容】
【特許請求の範囲】
【請求項１】
荷物配送のための、配送業者の配送サービスへのユーザのアクセスを制御するための方法であって、前記配送業者は前記配送業者が前記荷物にアクセスして配送を開始する複数のアクセス場所を記載するサービスエリアを有する方法であり、
前記ユーザによって第１のメモリモジュールに提出された配送先情報を記録するステップであって、前記配送先情報は、前記荷物が前記配送業者によって搬送される目的地を記載しているステップと、
前記ユーザによって選択された前記複数のアクセス場所のうちの1つを記載する配送元情報を第２のメモリモジュールに記録するステップと、
前記ユーザによって選択される前記アクセス場所を、前記ユーザと関連する前記アクセス場所の限定コレクションのうちの1つに限定するステップであって、前記ユーザは、前記配送業者のサービスエリア内の前記アクセス場所の全数よりも少数の場所と関連しているステップと、を備えている制御方法。
【請求項２】
前記アクセス場所を限定する前記ステップが、前記ユーザによって選択された前記アクセス場所は前記ユーザと関連する前記アクセス場所の前記限定コレクションのうちの１つであることを認証するステップを含む、請求項１に記載の方法。
【請求項３】
さらに、前記選択されたアクセス場所から前記目的地への、前記配送業者による前記荷物の配送を容易にするために、前記アクセス場所の認証に成功した後にネットワーク上で前記配送業者に前記配送元および配送先情報を送信するステップを備えている、請求項１に記載の方法。
【請求項４】
さらに、複数の配送元情報フィールドに１つのアクセス場所に関する一部を事前記入するステップであって、前記情報フィールドは配送元情報を記録するために使用されるステップを備えている、請求項１に記載の方法。
【請求項５】
さらに、前記配送元情報フィールドに事前記入後に、前記１つのアクセス場所に関する前記部分の修正に対して前記配送元情報をロックするステップを備えている、請求項４に記載の方法。
【請求項６】
前記配送業者は複数の異なる配送サービスレベルを提供し、前記方法はさらに、前記ユーザに使用可能な配送サービスレベルの限定コレクションを表示するステップであって、サービスレベルの前記限定コレクションは前記配送業者によって提供されている前記配送サービスレベルよりも少数であるステップと、前記荷物の配送を容易にするために前記アクセス場所の認証が成功した後に、前記ユーザによる配送サービスレベルの選択を記録し、前記配送サービスレベルの選択と、前記配送元情報と、前記配送先情報とをネットワーク上で前記配送業者に送信するステップと備えている、請求項１に記載の方法。
【請求項７】
配送サービスレベルの前記コレクションの限定範囲は、ある１つのグループへの前記ユーザのメンバー資格により決定され、さらに、前記ユーザが前記グループに属していることを確認することによって前記配送サービスレベルを要求するユーザの資格を認証するステップを備えて成っている、請求項６に記載の方法。
【請求項８】
さらに、配送先情報を記録する前に、前記ユーザに目的地の限定コレクションを表示するステップを備え、目的地の前記限定コレクションは前記配送業者のサービスエリア内の前記目的地の全数よりも少ない、請求項１に記載の方法。
【請求項９】
前記アクセス場所を限定する前記ステップが、前記配送元情報を記録する前に、前記ユーザに前記アクセス場所の前記限定コレクションを表示するステップを含む、請求項１に記載の方法。
【請求項１０】
アクセス場所の前記限定コレクションを表示するステップは、複数の配送元情報フィールドに１つのアクセス場所に関する一部を事前記入するステップであって、前記情報フィールドは配送元情報を記録するために使用されるステップを含む、請求項９に記載の方法。
【請求項１１】
さらに、前記配送先および配送元情報に基づいて配送ラベル画像を生成するステップであって、前記配送ラベル画像は、前記荷物への貼付用の配送ラベルを印刷するために前記ユーザによって使用可能であるステップを備えている、請求項１に記載の方法。
【請求項１２】
荷物配送のための、配送業者の配送サービスへのユーザのアクセスを制御するための方法であって、前記配送業者は複数の異なる配送サービスレベルを提供している方法であり、
前記ユーザによって第１のメモリモジュールに提出された配送元情報を記録するステップであって、前記配送元情報は、前記荷物が前記配送業者によって配送されるアクセス場所を記載しているステップと、
前記ユーザによって第２のメモリに提出された配送先情報を記録するステップであって、前記配送先情報は、前記荷物が前記配送業者によって配送される目的地を記載しているステップと、
前記ユーザによる配送サービスレベルの選択を記録するステップと、
前記配送サービスレベルの選択は前記ユーザと関連するサービスレベルの限定コレクションのうちの1つであることを認証するステップであって、前記ユーザは前記配送業者によって提供されている前記配送サービスレベルの全数よりも少数のレベルと関連しているステップと、を備えている制御方法。
【請求項１３】
荷物配送のための、配送業者の配送サービスへのユーザのアクセスを制御するための方法であって、前記配送業者は複数の異なる配送サービスレベルを提供している方法であり、
前記ユーザによって第１のメモリモジュールに提出された配送元情報を記録するステップであって、前記配送元情報は、前記荷物が前記配送業者によって搬送されるアクセス場所を記載しているステップと、
前記ユーザによって第２のメモリモジュールに提出された配送先情報を記録するステップであって、前記配送先情報は、前記荷物が前記配送業者によって配送されるアクセス場所を記載しているステップと、
前記配送サービスレベルの限定コレクションを表示するステップであって、サービスレベルの前記限定コレクションは前記ユーザと関連しており、前記ユーザは前記配送業者によって提供されている前記配送サービスレベルの全数よりも少数のレベルと関連しているステップと、
配送サービスレベルの前記限定コレクションから選択された、前記ユーザによる配送サービスレベルの選択を記録するステップと、を備えている制御方法。
【請求項１４】
荷物配送のための、配送業者の配送サービスへのユーザによるアクセスを管理するための方法であって、前記ユーザは複数の場所を組織のメンバーである方法であり、
組織情報をネットワーク上で前記配送業者に送信するステップであって、前記組織情報は前記場所のうちの1つの住所と配送アカウント番号とを含むステップと、
前記アカウント番号とアドレスは、第１のメモリモジュールに記憶されている有効アカウント番号とアドレスのリストのうちの１つに対応していることを確認することによって前記アカウント番号を認証するステップと、
前記配送業者によってアクセス可能であり、かつ前記ユーザが前記荷物を配送することを許可されている配送元場所のコレクションを記憶している第２のメモリモジュールに前記有効場所を追加するステップであって、配送元場所の前記コレクタは、前記配送業者のサービスエリア内の前記配送業者によってアクセス可能な複数の場所よりも少数の場所を記載しているステップと、を備えている管理方法。
【請求項１５】
前記認証された場所は前記組織の部署であり、前記ユーザは前記部署のメンバーである、請求項１４の方法。
【請求項１６】
荷物の配送に対して配送業者によって提供されている配送サービスを調整するためにネットワーク上での配送業者サーバへのユーザのアクセスを制御するためのシステムであって、前記配送業者は、前記配送業者が前記荷物にアクセスして配送を開始する複数のアクセス場所を含むサービスエリアを有するシステムであり、
前記ユーザによって第１のメモリモジュールに提出された配送先情報を記録できる配送先情報システムであって、前記配送先情報は、前記荷物が前記配送業者によって搬送される目的地を記載している配送先情報システムと、
前記ユーザが使用可能なアクセス場所のコレクションを、前記配送業者サービスエリア内の前記アクセス場所の全数より少数に限定できる配送元情報システムであって、さらに、前記アクセス場所の前記限定コレクションから前記ユーザによって選択された前記アクセス場所のうちの１つを記載する配送元情報を第２のメモリモジュールに記録できる配送元情報システムと、
前記ネットワークを介して前記配送業者サーバに接続し、前記配送元および配送先情報を前記ネットワーク上で前記配送業者に送信できる発注システムシステムであって、前記配送元および配送先情報は、前記選択されたアクセス場所から前記目的地への前記配送業者による前記荷物の配送を容易にする発注システムと、を備えている制御システム。
【請求項１７】
前記配送元情報システムはさらに、前記記録されている配送元情報はアクセス場所の前記限定コレクションのうちの1つを記載していることを認証できる、請求項１６に記載のシステム。
【請求項１８】
前記配送元情報システムはさらに、前記ユーザによって選択された前記アクセス場所に関する一部を記録するための複数の配送元情報フィールドを表示でき、前記配送元情報フィールドにアクセス場所の前記限定コレクションのうちの1つに関する一部を事前記入できる、請求項１６に記載のシステム。
【請求項１９】
前記配送元情報システムはさらに、前記事前記入されたアクセス場所に関する一部は前記ユーザによって修正できないように、前記配送元情報フィールドをロックできる、請求項１８に記載のシステム。
【請求項２０】
前記配送元システム、前記配送先システム、および前記発注システムのうちの少なくとも１つの少なくとも一部がモバイルコンピュータ上にあり、前記配送元情報システムはさらに、前記モバイルコンピュータを操作する移動中のユーザによる使用を検出でき、任意のアクセス場所の選択を可能にする特例を設けることができる、請求項１６に記載のシステム。
【請求項２１】
前記荷物配送のための、配送業者の配送サービスへのユーザのアクセスを制御するためのシステムであって、前記配送業者は複数の異なる配送サービスレベルを提供するシステムであり、
前記ユーザによって第１のメモリモジュールに提出された配送先情報を記録できる配送先情報システムであって、前記配送先情報は、前記荷物が前記配送業者によって配送される目的地を記載している配送先情報システムと、
前記ユーザによって第２のメモリモジュールに提出された配送元情報を記録できる配送元情報システムであって、前記配送元情報は、前記荷物が前記配送業者によって配送される目的地を記載している配送先情報システムと、
前記ユーザが使用可能なサービスレベルのコレクションを前記配送業者によって提供されている前記配送サービスレベルの全数よりも少数に限定できるサービスレベルシステムであって、さらに、サービスレベルの前記限定コレクションからのサービスレベルの前記ユーザによる選択を記録できるサービスレベルシステムと、
前記ネットワークを介して前記配送業者サーバに接続でき、前記配送元情報と、前記配送先情報と、前記サービスレベルの選択とを前記ネットワーク上で前記配送業者に送信できる発注システムであって、前記配送元情報と、前記配送先情報と、前記サービスレベルの選択は、前記アクセス場所から前記目的地への前記配送業者による前記荷物の配送を容易にする発注システムと、を備えている制御システム。
【請求項２２】
前記サービスレベルシステムはさらに、サービスレベルの前記限定コレクションを表示できる、請求項２１に記載のシステム。
【請求項２３】
前記サービスレベルシステムはさらに、前記記録されているサービスレベルの選択はサービスレベルの前記限定コレクションのうちの1つであることを認証できる、請求項２１に記載のシステム。